(57)【特許請求の範囲】
【請求項１】
回転シリンダ上に少なくともコイル型の記録ヘッドと磁気抵抗効果型の再生ヘッドとを有し、記録媒体であり前記回転シリンダに巻き付けた磁気テープに対して、前記記録ヘッドおよび前記再生ヘッドを通じて、データを記録および再生する磁気記録再生装置において、前記磁気抵抗効果型再生ヘッドにそのバイアス用として供給するセンス電流を、前記記録ヘッド及び前記再生ヘッドが前記記録媒体に接触していない期間に、前記記録ヘッドと前記再生ヘッド間の磁気的なクロストークを用い、そのクロストークに応じて前記再生ヘッドから得られる再生信号に基づいて制御することにより、適正値に調整する手段を備えたことを特徴とする磁気記録再生装置。
【請求項２】
前記センス電流を、前記記録ヘッドからのクロストークにより生じる前記再生ヘッドから得られる再生信号の偶数次高調波に基づいて、そのレベルが最小となるように制御することにより、適正値に調整するよう構成したことを特徴とする請求項１記載の磁気記録再生装置。
【請求項３】
前記記録ヘッドからのクロストークを発生させるために前記記録ヘッドに供給する記録電流として、一定周波数の正弦波または矩形波を供給するよう構成したことを特徴とする請求項１または請求項２記載の磁気記録再生装置。
【発明の詳細な説明】
【０００１】
【発明の属する技術分野】
本発明は、磁気テープに対してデータを記録再生するために回転シリンダにコイル型の記録ヘッドと磁気抵抗効果型の再生ヘッドとを有した磁気記録再生装置に関するものである。
【０００２】
【従来の技術】
近年、記録媒体である磁気テープに対してデータを記録再生する磁気記録再生装置において、再生用として広く使用されるようになった磁気抵抗効果型の再生ヘッド（以下、ＭＲヘッドと略称する）は、再生感度が従来のリングヘッドに比べて遙かに大きく、更に高周波特性に優れることから、記録密度の向上に不可欠なデバイスである。
【０００３】
リングヘッドは受動素子であるが、ＭＲヘッドは電源を要する能動素子である。ＭＲヘッドは、ヘッドに加わる磁束の変化を抵抗値の変化に変換する。従って、ヘッドに定電流（センス電流）を供給することにより、磁束変化に基づいて再生出力を電圧変化として取り出すことができる。
【０００４】
センス電流は、抵抗変化を電圧変化に変換すると共に、ＭＲヘッドにバイアスを与える役目を有する。これは、バイアスを最適に与えることで、磁界変化に対する抵抗変化を線形として直線性を持たせ、再生波形の上下対称性を確保するものである。
【０００５】
上記のように、センス電流を、ＭＲヘッドの磁界変化に対する抵抗変化が線形となるような値に最適化するには、単一周波数の信号が記録されたテープを再生するか、あるいは、ヘッドに単一周波数の外部磁界を印加し、非線形の場合に存在する基本波に対する２次高調波が最小となる値に、センス電流を調整するのが一般的である。
【０００６】
従って、最適センス電流の設定には、単一周波数の記録済みテープ、または、単一周波数の外部磁界を印加する治具（調整用の器具のことを言う）を用いて、主に手動で調整を行っていた。
【０００７】
更に、ＭＲヘッドがテープとの接触で磨耗した場合、その抵抗変化範囲が移動してしまい、その状態で磁界変化に対する抵抗変化の線形特性を得るために、センス電流の再調整が必要であるが、上記の治具の必要から、出荷した後での調整は不可能であった。
【０００８】
また、再生中にエラーが増加した時や、異なる種類のテープの互換再生時においても、センス電流を再調整することが望ましいが、やはり上記の治具の必要から、出荷した後での調整は不可能であった。
【０００９】
さらに、同種類でも異なる特性（記録レベルなど）を有する磁気テープの互換再生時に、ＭＲヘッド出力が飽和して、著しく誤り率が悪化した場合においても、上記の理由から改善は困難であった。
【００１０】
【発明が解決しようとする課題】
しかしながら上記のような従来の磁気記録再生装置において、ＭＲヘッドの最適センス電流の設定には、記録済みテープや外部磁界を印加する専用の治具が必要となり、コストアップにつながるという問題点を有していた。
【００１１】
更に、製品の出荷後において、特にユーザ側で、ＭＲヘッドの経時変化、記録および再生の際のエラー増加、異なる磁気テープの互換再生等に対応して、ＭＲヘッドの最適なセンス電流を再調整することは、不可能であるという問題点をも有していた。
【００１２】
本発明は、上記従来の問題点を解決するもので、ＭＲヘッドの経時変化等に対応して、容易にＭＲヘッドの最適なセンス電流を再調整することができ、更には異なる磁気特性を有するテープの互換再生においても良好な誤り率を実現することができる磁気記録再生装置を提供する。
【００１３】
【課題を解決するための手段】
上記の課題を解決するために本発明の磁気記録再生装置は、回転シリンダ上に少なくともコイル型の記録ヘッドと磁気抵抗効果型の再生ヘッドとを有し、記録媒体であり前記回転シリンダに巻き付けた磁気テープに対して、前記記録ヘッドおよび前記再生ヘッドを通じて、データを記録および再生する磁気記録再生装置において、前記磁気抵抗効果型再生ヘッドにそのバイアス用として供給するセンス電流を、前記記録ヘッド及び前記再生ヘッドが前記記録媒体に接触していない期間に、前記記録ヘッドと前記再生ヘッド間の磁気的なクロストークを用い、そのクロストークに応じて前記再生ヘッドから得られる再生信号に基づいて制御することにより、適正値に調整する手段を備えた構成としたことを特徴とする。
【００１４】
以上により、磁気抵抗効果型再生ヘッドのセンス電流の調整を、特別のテープや専用治具を用いることなく、自動で行うことができる。
【００１５】
【発明の実施の形態】
本発明の請求項１に記載の磁気記録再生装置は、回転シリンダ上に少なくともコイル型の記録ヘッドと磁気抵抗効果型の再生ヘッドとを有し、記録媒体であり前記回転シリンダに巻き付けた磁気テープに対して、前記記録ヘッドおよび前記再生ヘッドを通じて、データを記録および再生する磁気記録再生装置において、前記磁気抵抗効果型再生ヘッドにそのバイアス用として供給するセンス電流を、前記記録ヘッド及び前記再生ヘッドが前記記録媒体に接触していない期間に、前記記録ヘッドと前記再生ヘッド間の磁気的なクロストークを用い、そのクロストークに応じて前記再生ヘッドから得られる再生信号に基づいて制御することにより、適正値に調整する手段を備えた構成とする。
【００１６】
請求項２に記載の磁気記録再生装置は、請求項１記載の前記センス電流を、前記記録ヘッドからのクロストークにより生じる前記再生ヘッドから得られる再生信号の偶数次高調波に基づいて、そのレベルが最小となるように制御することにより、適正値に調整するよう構成する。
【００１７】
請求項３に記載の磁気記録再生装置は、請求項１または請求項２記載の前記記録ヘッドからのクロストークを発生させるために前記記録ヘッドに供給する記録電流として、一定周波数の正弦波または矩形波を供給するよう構成する。
【００２７】
これらの構成によると、磁気抵抗効果型再生ヘッドのセンス電流の調整を、特別のテープや専用治具を用いることなく、自動で行うことを可能にする。
以下、本発明の実施の形態を示す磁気記録再生装置について、図面を参照しながら具体的に説明する。
（実施の形態１）
本発明の実施の形態１の磁気記録再生装置を説明する。
【００２８】
図１は本実施の形態１の磁気記録再生装置の全体構成を示すブロック図であり、図２は図１の磁気記録再生装置における回転シリンダ部の詳細構成を示すブロック図であり、回転シリンダ部に搭載されたＭＲヘッドを用いて、磁気テープから再生される信号をＰＲ４等化する記録再生装置であって、１ヘッドの再生系と１ヘッドの記録系を表したものである。なお、回転シリンダ部の径は、２１．７ｍｍとする。
【００２９】
尚、回転シリンダ部４０には、記録ヘッド６とＭＲヘッド８に加えて、記録用ロータリートランス５、再生用ロータリートランス１２、電源伝送用ロータリートランス３３、シリンダ搭載再生アンプ１１、センス電流制御信号抽出回路３５、センス電流生成回路１０、整流回路３４、スイッチ回路５１が含まれる。
【００３０】
図１および図２に基づいて、まず最適センス電流の調整時における記録系の動作から説明する。
記録信号生成回路２で生成された記録信号４１、並びにＣＷ信号生成回路１で生成された連続する単一周波数の正弦波（Ｃｏｎｔｉｎｕｏｕｓ  Ｗａｖｅ）信号（以下、ＣＷ信号と略す）４２は、スイッチ回路３に入力される。スイッチ回路３は、入力端子２７から入力される制御信号２８に基づき、最適センス電流調整時にはＣＷ信号４２を、それ以外の時には記録信号４１を記録アンプ４に出力する。
【００３１】
これらＣＷ信号４２あるいは記録信号４１に基づいて記録アンプ４から出力される各記録電流は、制御信号１９（後述する）によって制御されるが、最適センス電流調整時には、その際に記録アンプ４から出力されるＣＷ信号４２の記録電流は、記録用ロータリートランス５をへて、回転シリンダ部４０内の記録ヘッド６に伝送される。そこで、記録ヘッド６の周辺では、ＣＷ信号４２に対応する磁界が発生する。
【００３２】
一方、ＭＲヘッド８は、磁界変化を抵抗変化に変換する素子であり、磁界変化に対して極めて高い感度を有しており、従って、小径シリンダ上での記録ヘッド６からの記録磁界は、クロストークとしてＭＲヘッド８に印加される。つまり、記録と再生を同時に行えば、上記のクロストークにより、記録信号がほぼそのままＭＲヘッド８で取り出すことができる。
【００３３】
いま、記録ヘッド６からＣＷ信号の磁界が発生しているので、ＣＷ信号クロストーク７という磁界（ＣＷ磁界と略称する）がＭＲヘッド８に印加される。このＣＷ磁界の変化は、ＭＲヘッド８で抵抗変化に変換され、センス電流生成回路１０から出力されたセンス電流９によってＣＷ電圧の変化となり、スイッチ回路５１を通じてシリンダ搭載再生アンプ１１に入力される。このようなＣＷ電圧に基づいてシリンダ搭載再生アンプ１１から出力されたＣＷ信号は、再生用ロータリートランス１２を経て、回転シリンダ部４０の外部の再生アンプ１３に入力される。
【００３４】
ここで、センス電流生成回路１０とシリンダ搭載再生アンプ１１への電源供給、並びにセンス電流制御は、以下の通り行われる。
電源伝送信号生成回路３１から供給される電源伝送信号は、アンプ３２で増幅された後、加算回路３０に供給される。加算回路３０は、アンプ３２からの電源伝送信号に、センス電流制御回路２６から供給されるセンス電流制御信号２９を重畳加算する回路である。加算回路３０は、電源伝送用ロータリートランス３３の伝送帯域内でセンス電流制御信号２９を伝送すべく、そのセンス電流制御信号２９により電源伝送信号を変調する機能も併せ持っている。なお、加算回路３０による重畳加算に際し、センス電流制御信号２９のみならず他の制御信号や、マルチチャンネル記録の際にはヘッド切替信号も併せて加算・伝送しても良い。
【００３５】
加算回路３０から出力された信号は、回転シリンダ部４０内で、電源伝送用ロータリートランス３３を経て、整流回路３４とセンス電流制御信号抽出回路３５に供給される。整流回路３４で整流された電圧３７は、センス電流生成回路１０とシリンダ搭載再生アンプ１１に供給される。一方、センス電流制御信号抽出回路３５は、電源伝送信号からセンス電流制御信号３６を抽出して、センス電流生成回路１０に供給する。
【００３６】
なお、センス電流制御信号３６の抽出に際し、加算回路３０により電源伝送信号に加算されたセンス電流制御信号２９のみならず、他の制御信号や、マルチチャンネル記録の際にはヘッド切替信号も併せて抽出して、他の回路に供給するように構成しても良い。
【００３７】
以上のようにして再生アンプ１３に入力され増幅されたＣＷ信号は、出力端子３９から後段の等化回路に供給されると共に、エンベ検波回路１４、ＣＷ基本波バンドパスフィルタ（ＢＰＦ）２２、ＣＷ２次高調波バンドパスフィルタ（ＢＰＦ）２３に供給される。
【００３８】
まずエンベ検波回路１４のエンベロープ（以下、エンベと略称する）検波出力は、判別回路１５に供給される。判別回路１５は、エンベ検波出力と再生レベル記憶回路２１の検波出力とを比較して、判別信号２５をＣＷ信号用記録電流制御回路１６並びにスイッチ回路２０に出力する。再生レベル記憶回路２１は、通常再生時のエンベ検波レベルを記憶した回路である。通常再生時のエンベ検波レベルとは、同一ロットのＭＲヘッド８における平均的な再生レベル、即ち基準再生レベルのことである。
【００３９】
また、判別回路１５からの判別信号２５は、ＣＷ信号用記録電流制御回路１６からの制御信号１９により、ＣＷ信号の記録電流の設定を制御して、その結果ＣＷ信号のエンベ検波レベルと通常再生時の検波レベルとが一致するように、その制御信号１９を出力すべくＣＷ信号用記録電流制御回路１６に指示する信号である。このようにクロストークによるＣＷ信号レベルが通常再生時と同等となれば、ＭＲヘッド８へのＣＷ信号クロストーク７は通常再生時とほぼ同等に調整されたことを意味する。
【００４０】
ここで、制御信号１９について述べる。
制御信号１９は、記録アンプ４から出力される記録電流を制御する。入力端子２７から入力される制御信号２８に基づき、スイッチ回路１８により、最適センス電流調整時にはＣＷ信号用記録電流制御回路１６の出力を、それ以外の時には記録信号用記録電流制御回路１７の出力を、それぞれ選択したものが制御信号１９である。なお、ＣＷ信号用記録電流制御回路１６においては、上記の最適センス電流調整時のＣＷ信号用記録電流値を、その初期調整値として記憶するものとする。
【００４１】
なお、ＣＷ信号は、本実施の形態では、正弦波としたが、２次高調波成分が少ない信号であればよく、矩形波であっても良いことは明らかである。
更に、２次高調波を精度良く検出するためには、ＣＷ信号の周波数を、ＭＲヘッドによる再生可能帯域の１／２以下とすることが望ましく。更には、再生信号の周波数特性において、出力が最大となる周波数に設定することが望ましい。なぜなら、通常再生時のエンベ検波出力は、出力最大となる周波数の再生信号レベルに依存しているからである。
【００４２】
また、この最適センス電流の設定は、各ヘッドと記録媒体である磁気テープが接触していない期間に行わなければならない。なぜなら、各ヘッドが記録媒体に接触していると、ＣＷ信号が記録される可能性があるからである。従って、入力端子２７から入力される制御信号２８により、ヘッドが媒体に接触している間は、最適センス電流設定、即ちＣＷ記録電流の調整モードに移行することはない。ただし、後述する、経時変化によるヘッド磨耗時のセンス電流の調整は、制御信号２８によって禁止されるものではなく、可能である。
【００４３】
以上が、最適センス電流の調整時における記録系、即ちＣＷ信号の記録電流の設定についての説明である。
次に、ＭＲヘッドにおいて磁界変化に対する抵抗変化の線形性を得るための最適センス電流の設定について説明する。
【００４４】
再生アンプ１３で増幅されたＣＷ信号は、前述の通り、出力端子３９から後段の等化回路に供給されると共に、エンベ検波回路１４、ＣＷ基本波ＢＰＦ２２、ＣＷ２次高調波ＢＰＦ２３に供給される。ＣＷ基本波ＢＰＦ２２ではＣＷ信号の基本波を抽出し、ＣＷ２次高調波ＢＰＦ２３では、ＭＲヘッドにおいて磁界変化に対する抵抗変化が非線形になった場合に現れる２次高調波、即ち上下非対称成分を抽出する。
【００４５】
これらの基本波成分と２次高調波成分は、比較・判別回路２４により比較され、基本波に対する２次高調波が最小となったことを、その状態を示す判別信号３８により、比較・判別回路２４から、スイッチ回路２０を介してセンス電流制御回路２６に指示する。
【００４６】
スイッチ回路２０は、入力端子２７から入力される制御信号２８に基づき、最適センス電流調整時には判別信号３８を、それ以外の時には判別信号２５を、それぞれセンス電流制御回路２６に出力する。センス電流制御回路２６は、判別信号３８または判別信号２５に基づき、アンプ３２からの電源伝送信号に加算重畳するセンス電流制御信号２９を、加算回路３０に出力する回路である。なお、センス電流制御回路２６は、入力端子２７から入力される制御信号２８に基づき、最適センス電流調整時には、判別信号３８に従ってＣＷ信号の２次高調波が最小となるように制御を行い、それ以外の通常時には、判別信号２５に従って制御を行う。通常時の制御に関しては後述する。
【００４７】
なお、センス電流制御回路２６には、その初期センス電流値、即ち前述のＣＷ信号の記録電流設定時におけるセンス電流値として、同一ロットのＭＲヘッドの平均的なセンス電流値が、予め設定記憶されている。
【００４８】
以上で、初期センス電流は最適値に設定された。
次に、経年使用により、ＭＲヘッド８が、経時変化、特に磁気テープとの磨耗などにより経時変化した時のセンス電流の調整について説明する。
【００４９】
ＭＲヘッド８が磨耗した場合には、初期の最適センス電流のままで再生すると、歪が大きくなる。実験によって、センス電流９の最適値は、磨耗するにつれて減少側にシフトすることが知られている。従って、ＭＲヘッド８の磨耗時には、センス電流９を減少させる微調整を行う必要がある。
【００５０】
一方、ヘッド磨耗時には、再生用のＭＲヘッドが磨耗するため、ＭＲ抵抗が上昇する。ＭＲヘッドが１／２まで磨耗すると、抵抗値は約２倍となる。従って、初期の最適センス電流のままであれば、出力は約２倍に増加する。これを利用すれば、ヘッドの経時変化即ち磨耗量は、再生出力のエンベ検波によって検知することができる。
【００５１】
そこで、ＭＲヘッドの磨耗に応じたセンス電流の調整について説明する。
前述の通り、センス電流制御回路２６は、入力端子２７から入力される制御信号２８に基づき、最適センス電流調整時には、判別信号３８に従ってＣＷ信号の２次高調波が最小となるように制御を行い、それ以外の再生時には判別信号２５に従って制御を行う。再生時において、ヘッド磨耗によって再生レベル記憶回路２１に記憶されている基準再生レベルを大きく上回った時には、判別回路１５から判別信号２５が、スイッチ回路２０を介して、センス電流制御回路２６に出力される。
【００５２】
判別信号２５は、エンベ検波レベルが基準再生レベルに一致するように、センス電流制御回路２６に指示する信号である。
センス電流制御回路２６は、入力端子２７から入力される制御信号２８に基づき、ヘッド磨耗時には判別信号２５に従ってセンス電流を減少させるような制御を行う。
【００５３】
なお、センス電流の減少率は、センス電流制御回路２６が有するテーブルを用いて行い、必ずしも常に基準再生レベルに一致するように調整するものではない。即ち振幅が２倍になったからといってセンス電流を１／２にするものではなく、一定のテーブルに基づいて調整する。本実施の形態では、テーブルは振幅がｎ倍の時、センス電流は０．７／ｎ倍とした。また、この再生時における、センス電流の調整頻度は常時、または一定期間ごとに行っても良い。
【００５４】
この調整は、ヘッド磨耗による出力増加を抑制する方向に働くので、回路系のダイナミックレンジ（Ｄレンジ）等に余裕がなくなることにより誤り率が低下する恐れを回避することができる。また、出力が数倍に増加することを前提に回路設計しなくてすむので、回路の追加や複雑化を回避できるばかりか、省電力にも直結する。
【００５５】
また、磨耗時のセンス電流調整で、再生しながら常時行う前述の方法のみならず、ＣＷ信号用記録電流制御回路１６に記憶されている記録電流の初期調整値を用いて、ＣＷ信号クロストーク７から行うこともできる。ＭＲヘッドの抵抗値が増加すれば、クロストークによるＣＷ信号レベルも増加する。したがって、それを再生レベル記憶回路２１の基準再生レベルと比較して、同様にセンス電流を調整しても良い。この場合は、ヘッドと媒体が接触していない期間に行わなければならない。
（実施の形態２）
図１に記載のセンス電流制御手段を用いれば、ヘッド磨耗時のみならず、誤り率劣化時、例えばストレージ機器におけるリトライ時に、センス電流を変化させて同一テープ位置を再度再生することができる。
【００５６】
センス電流の変化量は、所定のステップで行う。この時、センス電流を初期調整値に戻して再生しても良い。センス電流を初期調整値に戻して再生すれば、再生振幅は変化するが、もし回路のＤレンジ内であれば、誤り率が改善されることがある。
（実施の形態３）
本発明の実施の形態３として、記録ヘッドを再生ヘッドとして用いて再生する場合について、以下に説明する。
【００５７】
磁気的な特性として、異なる記録レベルを有する磁気テープの互換再生時、例えば磁性層厚の厚い磁気テープを互換再生する場合、または再生誤り率が劣化した場合には、記録ヘッド６を再生ヘッドとして用いた。すなわち、磁性層厚の厚いテープをＭＲヘッド８で再生すると、磁界が強すぎてＭＲヘッド８の再生出力のレベルが飽和することがあるが、そのような場合には、リングヘッドである記録ヘッド６で再生する。
【００５８】
記録ヘッド６の再生出力は、スイッチ回路５１に入力されて、シリンダ搭載再生アンプ１１に入力される。スイッチ回路５１は、センス電流制御信号３６がある一定値のセンス電流を指示している間はＭＲヘッド８の出力を選択するが、入力端子６０から供給される制御信号によってセンス電流を０にするよう指示したときは、記録ヘッド６からの出力を選択する。また、著しく誤り率が劣化した場合においても、記録ヘッド６による再生は有効である。
【００５９】
このように、記録ヘッド６からの出力信号を、本来、ＭＲヘッド８用として回転シリンダ部４０内に設けられたのシリンダ搭載アンプ１１を用いて増幅して再生することで、記録ヘッド６用に新たなアンプを設けることも不要とすることができる。加えて、記録ヘッド６の再生機能への切替信号として、センス電流制御信号３６を用いることで、制御の簡略化と省電力化を実現することができる。
【００６０】
以上のように、最適センス電流を設定する場合に、従来例では専用の記録済みテープまたは特別の冶具が必要であったが、本実施の形態では、記録ヘッドと再生用のＭＲヘッド間のクロストークを用いて、ＣＷ信号の２次高調波が最小となるようにセンス電流を設定することで、最適センス電流を自動調整で尚且つ精度良く実現することができる。
【００６１】
また、ヘッド磨耗時におけるセンス電流の調整をも自動で行うことにより、経時変化による誤り率劣化も回避することができる。
さらに、記録ヘッドでの再生機能も付加することで、異なる特性を有する磁気テープの互換再生時または再生誤り率劣化時にも、誤り率を改善することができる。このとき、記録ヘッド６からの出力信号の再生アンプをＭＲヘッドと共用することで、回路や回転シリンダ部４０の構成を大幅に簡略化することができ、加えて、記録ヘッドの再生機能への切替制御を、センス電流制御信号で行うことで、制御の簡略化と省電力化も実現することができる。
【００６２】
なお、本実施の形態では、より高いＣ／Ｎを確保するために、回転シリンダ部４０内にシリンダ搭載アンプ１１を配置したが、回転シリンダ内に必須なのは整流回路３４とセンス電流生成回路１０であり、シリンダ搭載再生アンプ１１等は、回転シリンダ部４０の外部に配置して構成しても良い。
【００６３】
また、本実施の形態では、ＣＷ信号の２次高調波が最小となるようにセンス電流を設定したが、他の隅数次高調波でもよい。
また、本実施の形態では、記録ヘッド６は記録再生両機能を有するが、記録機能のみであっても、最適センス電流の設定手法の有効性に影響しないことは明らかである。
【００６４】
【発明の効果】
以上のように本発明によれば、磁気抵抗効果型再生ヘッドのセンス電流の調整を、特別のテープや専用治具を用いることなく、自動で行うことができる。
【００６５】
そのため、磁気抵抗効果型再生ヘッドの経時変化等に対応して、容易に磁気抵抗効果型再生ヘッドの最適なセンス電流を再調整することができ、更には異なる磁気特性を有するテープの互換再生においても良好な誤り率を実現することができる。
【図面の簡単な説明】
【図１】本発明の実施の形態の磁気記録再生装置の全体構成を示すブロック図
【図２】同実施の形態の磁気記録再生装置における回転シリンダ部の詳細構成を示すブロック図
【符号の説明】
１    ＣＷ信号生成回路
２    記録信号生成回路
３、１８、２０、５１    スイッチ回路
４    記録アンプ
５    記録用ロータリートランス
６    記録ヘッド
７    ＣＷ信号クロストーク
８    ＭＲヘッド
９    センス電流
１０    センス電流生成回路
１１    シリンダ搭載再生アンプ
１２    再生用ロータリートランス
１３    再生アンプ
１４    エンベ検波回路
１５    判別回路
１６    ＣＷ信号用記録電流制御回路
１７    記録信号用記録電流制御回路
１９、２８    制御信号
２１    再生レベル記憶回路
２２    ＣＷ基本波ＢＰＦ
２３    ＣＷ２次高調波ＢＰＦ
２４    比較・判別回路
２５、３８    判別信号
２６    センス電流制御回路
２７、６０    入力端子
２９    センス電流制御信号
３０    加算回路
３１    電源伝送信号生成回路
３２    アンプ
３３    電源伝送用ロータリートランス
３４    整流回路
３５    センス電流制御信号抽出回路
３６    センス電流制御信号
３７    電圧
３９    出力端子
４０    回転シリンダ部
４１    記録信号
４２    ＣＷ信号
【図１】
0003850287.tif 000002
【図２】
0003850287.tif 000003